(57)【要約】【課題】 ワイパー持上げ器を提供する。【解決手段】  主に本体を含み、該本体内側には固定軸を設置し、しかも該固定軸下方には第一磁性部品を設置し、また持上げ棒を穿設する。該持上げ棒の一端は先ず本体の片側に穿入し、次に該本体内側の固定軸を貫通後該本体反対側の固定孔位置に穿設し、該持上げ棒の反対端には持上げ部を形成し、しかも該本体内側の適当な位置には該第一磁性部品と同極で相互に反発し合う作用の第二磁性部品を設置する。【選択図】  図４
0003128823.tif 000002
【実用新案登録請求の範囲】
【請求項１】
主に本体、持上げ棒を含み、
該本体は中空状を呈し、内部には固定軸を設置し、該固定軸下方には第一磁性部品を連接し、該本体内底部には別に第二磁性部品を固設し、該第一磁性部品と該第二磁性部品の磁極は同一で、該本体中には貫通孔と固定孔を開設し、
該持上げ棒の一端は順番に該本体の貫通孔、該固定軸と該固定孔を通過し、該本体と連結関係を形成し、該持上げ棒は反対端に対応し該本体外に露出し該持上げ部を形成することを特徴とするワイパー持上げ器。
【請求項２】
前記本体は片側蓋を含み、また該本体は結合台を連接し、該結合台はコ字形或いはH字形で、しかも該結合台の適当な位置にはネジ及びナットを設置し、
別に該本体の任意の適当な位置には通気孔を穿設し、該持上げ棒末端の持上げ部には保護カバーを設置し、
該本体の貫通孔外側には防水カバーを設置し、該防水カバーには防水嵌孔を設置し、該持上げ棒は先ず該防水嵌孔を通り、次に該本体を穿入し、該本体外の適当な位置には定位凸ブロックを設置し、該定位凸ブロックは該持上げ棒と接触を形成し、該本体内には油脂を注入することを特徴とする請求項１記載のワイパー持上げ器。
【考案の詳細な説明】
【技術分野】
【０００１】
本考案は一種のワイパー持上げ器に関する。特に一種の磁石の同極が相互に反発し合う原理設計を利用し、これによりワイパーの作動行程への妨害を避け、しかも製造技術は容易で簡単、便利で、使用寿命は長く、またコスト低下が可能で汚染を減少させることができるワイパー持上げ器に係る。
【背景技術】
【０００２】
各種交通機関において、自動車は非常にポピュラーな手段となっている。特に雨の日には、自動車を所有する人の大部分は自動車によって移動している。しかし雨天での走行時には、しばしばワイパーがフロントガラス上の雨滴と汚泥を効果的に清浄できないことがあり、これでは走行の安全に重大な影響を及ぼす。
自動車ワイパーが効果的にガラスを拭けない原因の一つは、フロントガラスが太陽の直射を受け高温を発し、それと粘着するワイパーのラバー棒が熱を受け変形硬化し、或いは変質し、清浄機能を発揮できなくなってしまっていることである。この問題を解決するために、市場ではワイパー持上げ器が誕生した。
公知のワイパー持上げ器は伝統的な考え方を使用し製造する。その構造は図１に示すように、主要に本体3、バネ30、頂棒部品31等により組立てる。公知のワイパー持上げ器は、ワイパー1を使用する必要がない時には、該頂棒部品31を該ワイパー1下方へと動かし合わせる。該ワイパー1の下方に向かう圧迫力と該保護カバー33と該ガラス2の摩擦阻害力により、該本体3と該頂棒部品31は該ワイパー1を直立させ高く支え、弾け開くことがないように維持し、これにより該ワイパー1は宙に浮き保護される。反対に、該ワイパー1を使用する時には、該本体3と該頂棒部品31は該ワイパー1の作動力量を感じ、該バネ30は該頂棒部品31を該ワイパー1の前側へと弾け開く。こうして該頂棒部品31は該ガラス2と接触しなくなり、該ガラス2に傷をつけることはなくなる。
上記公知のワイパー持上げ器には以下の三項目の欠点がある。
1.  図１に示すように、公知のワイパー持上げ器は一定時間の使用後には、バネ30が長期間張力状態にあったため、弾性疲労を招き、該頂棒部品31は回復動作を行うことができなくなってしまい、ガラス2を傷つけてしまう。
2.  図１に示すように、公知のワイパー持上げ器の各部品は外部に露出する状態で設計されているため、寒帯国或いは低温の冬季での使用時には、雨水の温度が冰点まで低下し、これにより各部品は凍結により効果を失ってしまう。こうして該頂棒部品31は正常な作用を発揮不能となり、該ガラス2は傷つき、重大な場合には走行の安全に影響を及ぼす。
3.  図１に示すように、公知のワイパー持上げ器の各部品は外部に露出する状態に設計されているため、毎日風雨及び化学物質のほこり等汚染にさらされると酸化し錆が生じる。これでは各部品は早めに故障してしまい、使用不能となり、つまりその使用寿命は短い。
よって本考案のワイパー持上げ器は公知構造の欠点に対して改善を加える。
【考案の開示】
【考案が解決しようとする課題】
【０００３】
本考案は、上記構造の問題点を解決したワイパー持上げ器を提供するものである。
【課題を解決するための手段】
【０００４】
上記課題を解決するため、本考案は下記のワイパー持上げ器を提供する。
それは主に本考案のワイパー持上げ器を提供し、本体、持上げ棒を含み、
該本体内には固定軸と下方の第一磁性部品を設置し、該持上げ棒を穿設し、
該持上げ棒の一端は該本体の片側に穿入し、さらに該本体内の固定軸に穿設し、続いて別の固定孔に穿設し、反対端は該本体と持上げ部を形成し、
しかも該本体内側の適当な位置には該第一磁性部品と同極反発作用を呈する第二磁性部品を設置し、
該本体内側に設置する固定軸は該本体内側において、該第一磁性部品と緊密に接触し固定点を形成し、該持上げ棒を支え該持上げ部は該ガラス上において支えられ、
また該本体の適当な位置において定位凸ブロックを設置し、該持上げ棒と緊密に接触し固定点を形成し、こうして該持上げ部は該ガラス上において支えられ、
本考案は持上げ棒の持上げ部をワイパーとフロントガラス間に設置することで、該ワイパーは宙に浮き、ワイパーとフロントガラス間の粘着を避け、ワイパー使用時には磁石の同極反発の原理を利用し、持上げ棒上昇の動力とし、ワイパーの作動行程を妨害しないようにし、
本考案のワイパー持上げ器の各部品は本体内側に設計され、本体内側において油脂を注入選択可能で、凍結防止と潤滑の機能及び効果を達成し、寒帯或いは熱帯国家の四季の温度変化に対応させ使用が可能で、雨水、露等の外界の汚染と影響を受けることがないため、その使用寿命は長く、欠点のないワイパー持上げ器を提供する。
【考案の効果】
【０００５】
上記のように、本考案は磁石の同極が相互に反発し合う原理設計を利用し、ワイパーの作動行程への妨害を避け、しかも製造技術は容易で簡単、便利で、使用寿命は長く、またコスト低下が可能で汚染を減少させることができる。
【考案を実施するための最良の形態】
【０００６】
本考案ワイパー持上げ器は図２に示すように、本体40、結合台41、持上げ棒42、第一磁性部品43と第二磁性部品44及び通気孔412を含む。
本考案の本体40は長形中空立方体で、該本体40は透明のアクリルにより製造し、他のプラスチック等の不透明材料により製造することもできる。
該結合台41は該本体40の適当な位置においてコ字型の結合台41を設置し、該結合台41の適当な位置にはネジ410及びナット411を設置する。
該持上げ棒42は湾曲状を呈し、その一端は先に該本体40片側の貫通孔404を貫通後、さらに該本体40内側の固定軸405を貫通し、反対側の固定孔406位置に至り可動固定する。該持上げ棒42は該本体40の反対端に対応し該持上げ部420を形成する。
該第一磁性部品43は該本体40内側の固定軸405下方に設置し、該本体40の内側の適当な位置に対応し、該第一磁性部品43と同極反発を呈する第二磁性部品44を設置する。
【０００７】
以上は本考案各部品の構造、位置及び相互連接関係の概述である。各部品の組合せ及び達成が予期される機能と効果は以下の通りである。
その組立て実施時には、該持上げ棒42の一端を先に該本体40片側の貫通孔404に穿入し、次に該本体40内側の固定軸405を貫通し反対側の固定孔406に至る。これにより該固定軸405を定位し、該持上げ棒42は湾曲状となる。反対端は該本体40と持上げ部420を形成する。
次に図３に示すように、さらに該第一磁性部品43を該固定軸405の下方に密着させ、該第一磁性部品43と同極反発を呈する該第二磁性部品44を該本体40内側の適当な位置に設置する。さらに該本体40の片側蓋401と該本体40を蓋合し、こうして該本体40は密合式長形立方体となる。その組み立て完成指示は図３に示す。
【０００８】
さらに４図に示すように、本考案を該ワイパー1上に固定する方法は、コ字型結合台41により該ワイパー棒10の適当な位置と対応させ合わせ、対応させ合わせた後、ネジ410とナット411を螺合し緊密に固定する。こうして該結合台41と該ワイパー棒10は固定される。
次に図５に示すように、その実施例の結合台41はH形で、該H形結合台41により該ワイパー棒10の適当な位置と対応させ合わせ、対応させ合わせた後、該ネジ410と該ナット411を螺合し緊密に固定する。こうして該結合台41と該ワイパー棒10は固定され、該本体40は直接、該ワイパー棒10の適当な位置に密着固定される。
【０００９】
図６に示すように、該ワイパー1を作動させると、該本体40と該持上げ棒42は該ワイパー1の作動力を感知し、該持上げ棒42は該ガラス2上を離れ、該ワイパー1と反対方向の作動を呈する。
次に図７に示すように、該ワイパー1の作動時には、該本体40内側の固定軸405下方の第一磁性部品43を連動し、該第二磁性部品44に近づけ、該持上げ部420は該第一磁性部品43と該第二磁性部品44の同極による反発動力により、該持上げ部420を該結合台41横の適当な位置にまで迅速に上方へと作動する。こうして、磁石の同極反発原理設計を利用し、該ワイパー1の作動行程妨害を避けることができる。
【００１０】
さらに図８に示すように、該ワイパー1を使用しない時には、該持上げ棒42を該本体40の下方に戻し、該本体40内側の固定軸405と該第一磁性部品43は該本体40の内側に緊密に接触し、該持上げ棒42の固定点を形成する。こうして該持上げ部420は該ガラス2上において支えられる。
また図９に示すように、該持上げ棒42を該本体40の下方に戻し、該本体40の片側面の適当な位置には定位凸ブロック409を設置し、該持上げ部420に緊密に接触させ、これにより該持上げ部420は該ガラス2上に固定される。
さらに図８、９に示すように、該持上げ部420一端には保護カバー32を設置し、該持上げ部420と該ガラス2の接触時に該ガラス2を傷つけないようにする。しかも該ワイパー1の下方へと押す力と該保護カバー32と該ガラス2の摩擦阻害力により、該本体40と該持上げ棒42が直立を維持し該ワイパー1を支え、弾け開くことがないようにする。
【００１１】
図１０に示すように、各国の環境に応じて、熱帯国家では該防水カバー408を省いても正常な使用が可能である。
反対に、図１１に示すように、寒帯国家では該防水カバー408を該本体40の片側の適当な位置に設置し、水滴が該本体40の内部に入り凍結し、該固定軸405の作動に影響を及ぼし、該持上げ棒42が持ち上がらず該ガラス2を傷つけてしまうことのないようにする。
さらに図１１に示すように、該本体40の片側において通気孔412を設置し、天候に応じた膨張と収縮に適応するための空気対流を形成する。
【図面の簡単な説明】
【００１２】
【図１】公知構造の使用状態図である。
【図２】本考案の立体分解指示図である。
【図３】本考案の立体指示図である。
【図４】本考案の第一実施例図である。
【図５】本考案の第二実施例図である。
【図６】本考案の第一使用状態図である。
【図７】本考案の第二使用状態図である。
【図８】本考案の第三使用状態図である。
【図９】本考案の第四使用状態図である。
【図１０】本考案の第三実施例図である。
【図１１】本考案の第四実施例図である。
【符号の説明】
【００１３】
１    ワイパー
２    ガラス
１０  ワイパー棒
３    本体
３０  バネ
３１  頂棒部品
３２  保護カバー
３３  保護カバー
４０  本体
４１  結合台
４２  持上げ棒
４３  第一磁性部品
４４  第二磁性部品
４０１  側蓋
４０４  貫通孔
４０５  固定軸
４０６  固定孔
４０７  防水嵌孔
４０８  防水カバー
４０９  定位凸ブロック
４１０  ネジ
４１１  ナット
４１２  通気孔
４２０  持上げ部
【図１】
0003128823.tif 000003
【図２】
0003128823.tif 000004
【図３】
0003128823.tif 000005
【図４】
0003128823.tif 000006
【図５】
0003128823.tif 000007
【図６】
0003128823.tif 000008
【図７】
0003128823.tif 000009
【図８】
0003128823.tif 000010
【図９】
0003128823.tif 000011
【図１０】
0003128823.tif 000012
【図１１】
0003128823.tif 000013